(57)【要約】【課題】扉枠と扉とを連結するヒンジにおいて、扉が閉じた状態時に扉をヒンジから取り外されないようにする。【解決手段】扉ヒンジ１は、扉枠Ｂに固定されるベース体１０と、ベース体１０に周方向に回動可能に支持され扉Ｄに連結される回動体２０と、回動体２０に装着されるカバー３０とを備えて構成される。ベース体１０と扉枠Ｂとを固定するねじ１１ｄを回動体２０によって隠蔽し、さらに、回動体２０と扉とを連結するねじ２０ａを、カバー３０によって隠蔽する。カバー３０は回動体２０にスナップフィット機構により装着され、第１の爪部３１の傾斜角度を第２の爪部３２の傾斜角度より大きくすることで、第１の爪部３１の側から取り外し易くしている。回動体２０が閉位置にあるときには、第１の爪部３１はベース体１０と回動体２０との間に隠れ、カバー３０を取り外すことが困難となる。【選択図】図３
2019027081.tif 000002
【特許請求の範囲】
【請求項１】
扉枠に固定されるベース体と、
扉にねじを介して固定され、かつ前記ベース体に対して周方向に回動可能に支持され、その回動により前記扉を閉位置と開位置との間で切り替え可能な回動体と、
前記回動体と一体に回動するカバーと、を備え、
前記ベース体は、
前記回動体の回動に伴って、回動体の周面が順次対向する隠蔽面を有し、
前記回動体は、
前記周面に設けられ、前記ねじの頭部が現れる内部空間を外部へと開放する開口を有し、
前記カバーは、
前記回動体の開口を閉塞するように、着脱自在のスナップフィット機構を介して回動体の周面に取り付けられており、
前記スナップフィット機構は、
前記回動体に対して、その開口を跨いで周方向に並列して設けられた一対の爪受部と、
前記カバーに対して、前記一対の爪受部とそれぞれ係合可能に設けられた一対の爪部と、からなり、
前記一対の爪部のうち、
一方の爪部は、前記扉の閉位置において前記ベース体の隠蔽面と前記回動体との間に隠れ、前記扉の開位置において前記ベース体の隠蔽面と回動体との間から外へと現れ、
他方の爪部は、前記扉の閉位置において前記ベース体の隠蔽面と前記回動体の間から外へと現れ、前記扉の開位置において前記ベース体の隠蔽面と前記回動体との間に隠れており、
前記一方の爪部の一方の爪受部に対する結合強度は、前記他方の爪部の他方の爪受部に対する結合強度よりも弱い、扉ヒンジ。
【請求項２】
前記一対の爪部は、前記一対の爪受部に係合する係合面が、前記カバーの前記回動体の開口への取り付け方向に対して傾斜しており、
その係合面の傾斜角度は、前記取り付け方向に対して前記一方の爪部で４０度以上５０度以下であり、前記他方の爪部で７０度以上８５度以下である請求項１に記載の扉ヒンジ。
【発明の詳細な説明】
【技術分野】
【０００１】
本発明は、扉枠と扉とを回動可能に連結し、扉を閉めた状態で不用意に扉を外されることを防止可能な扉ヒンジに関する。
【背景技術】
【０００２】
従来、薬品や工業製品などを冷温保存するために業務用冷蔵庫が用いられている。
その庫内には機密性の高い物品や、高価な製品が一定期間収納されることもあるため、扉と扉枠との間に施錠機構を介在させ、第三者が扉を開いて物品等を盗難することを阻止する試みがなされている。
しかし、扉が開き戸の場合には、施錠機構は扉の戸先側のみに設けられ、扉と扉ヒンジとがねじ等によって固定される吊元側には、施錠機構が設けられないことが多かった。
それゆえ、扉を閉じて戸先側を施錠機構により施錠している状態であるにも関わらず、吊元側の扉と扉ヒンジとを連結しているねじを緩め、扉を扉ヒンジから取り外すことで、開錠することなく吊元の側から庫内の物品を取り出すことが可能であった。
【０００３】
そこで特許文献１には、扉枠に固定されるベース体と、扉の側面に第１のねじを介して固定され、かつ、該ベース体に回動可能に支持され、その回動により扉を閉位置と開位置との間で切り替え可能な回動体と、該回動体と一体に回動し該第１のねじの頭部を遮蔽するように前記回動体に固定されるカバーとを備える扉ヒンジの発明が開示されている。
前記カバーは、第２のねじによって前記回動体に固定され、該第２のねじの頭部は、扉が閉位置の状態では前記ベース体と前記回動体との間に隠蔽され、前記回動体の回動に伴い扉が開位置の状態になると、前記ベース体と前記回動体との間から外へと現れる構造となっている。
【０００４】
特許文献１の扉ヒンジによれば、前記カバーによって扉と前記回動体とを連結させる前記第１のねじの頭部が遮蔽され、さらに扉が閉まっている状態では、前記第２のねじの頭部が前記ベース体と前記回動体の間に隠蔽されることになる。このため、扉が閉まっている状態では、前記第２のねじを緩めてカバーを取り外すことができず、第１のねじが緩められて扉ヒンジから扉が取り外されることを防がれている。
【先行技術文献】
【特許文献】
【０００５】
【特許文献１】特許第３７５１３０３号公報
【発明の概要】
【発明が解決しようとする課題】
【０００６】
しかし、特許文献１の発明において、扉ヒンジは扉と扉枠との間に介在するため、扉が開位置にある状態においても前記第２のねじの締緩作業を行うスペースは制限される。また、扉の設置環境によっては扉の回動する範囲が限られ、扉自体が邪魔となって作業スペースはさらに制約を受けることになる。
したがって、扉の組み付け時やメンテナンス時において、そのような狭い作業スペースでねじの締緩作業を行うことは、困難であり効率が悪い。
また、第１のねじと第２のねじの種類が異なる場合、それぞれに適合する工具を準備しその工具を持ちかえて締緩作業をする必要があり、煩雑でもある。
【０００７】
そこで、本発明の解決すべき課題は、扉ヒンジにおいて、扉が閉位置の状態では、カバーが回動体から取り外されることを防ぎ、かつ、扉が開位置の状態では、カバーの前記回動体に対する着脱作業を容易にして、扉のメンテナンス性を向上させることである。
【課題を解決するための手段】
【０００８】
上記した課題を解決するため、本発明の扉ヒンジは、扉枠に固定されるベース体と、扉にねじを介して固定され、かつ前記ベース体に対して周方向に回動可能に支持され、その回動により前記扉を閉位置と開位置との間で切り替え可能な回動体と、前記回動体と一体に回動するカバーとを備えて構成される。
前記ベース体は、前記回動体の回動に伴って、回動体の周面が順次対向する隠蔽面を有する。
前記回動体は、前記周面に設けられ、前記ねじの頭部が現れる内部空間を外部へと開放する開口を有する。
前記カバーは、前記回動体の開口を閉塞するように、着脱自在のスナップフィット機構を介して回動体の周面に取り付けられている。
前記スナップフィット機構は、前記回動体に対して、その開口を跨いで周方向に並列して設けられた一対の爪受部と、前記カバーに対して、前記一対の爪受部とそれぞれ係合可能に設けられた一対の爪部とからなる。
前記一対の爪部のうち、一方の爪部は、前記扉の閉位置において前記ベース体の隠蔽面と前記回動体との間に隠れ、前記扉の開位置において前記ベース体の隠蔽面と回動体との間から外へと現れる。他方の爪部は、前記扉の閉位置において前記ベース体の隠蔽面と前記回動体の間から外へと現れ、前記扉の開位置において前記ベース体の隠蔽面と前記回動体との間に隠れる。
さらに、前記一方の爪部の一方の爪受部に対する結合強度は、前記他方の爪部の他方の爪受部に対する結合強度よりも弱いものとされている。
【０００９】
このような構成とすると、扉が閉位置にある状態では、結合強度の弱い前記一方の爪部は隠れ、結合強度の強い前記他方の爪部のみが外部に現れているため、前記カバーを前記回動体から取り外すことが困難となる。カバーを取り外すことができないと、扉と回動体を固定するねじも取り外すことができないため、扉を取り外して庫内の物品等が盗難されるのを防ぐことが可能となる。
さらには、扉が開位置にある状態では、結合強度の弱い前記一方の爪部が外部へ露出しているため、前記カバーを取り外しやすく、メンテナンス性が向上する。
【００１０】
発明にかかる扉ヒンジにおいて、前記一対の爪部は、前記一対の爪受部に係合する係合面が、前記カバーの前記回動体の開口への取り付け方向に対して傾斜しており、その係合面の傾斜角度は、前記取り付け方向に対して前記一方の爪部で４０度以上５０度以下であり、前記他方の爪部で７０度以上８５度以下である構成を採用することができる。
【００１１】
このような構成とすると、前記一方の爪部は、前記爪受部と当接する面が比較的急な斜面であるため、爪のかかりが浅く前記一対の爪受部との遊びも多くなる。対して、前記他方の爪部は、前記爪受部と当接する面が比較的緩やかな斜面であるため、爪のかかりが深く遊びも少ない。したがって、前記一方の爪部は前記他方の爪部と比較して、前記一対の爪受部に対する結合強度が弱くなる。
一方の爪部の角度を４０度以上５０度以下とすることで、特別な工具を用いることなく、その一方の爪部の側からカバーを開けることが容易な結合強度となり、他方の爪部の角度を７０度以上８５度以下とすることで、一般的な作業者の力では、その他方の爪部の側からカバーを開けることが極めて困難な結合強度となる。
【００１２】
発明に係る扉ヒンジにおいて、前記ベース体は、上方に開口する有底筒状の軸受穴をさらに有し、前記回動体は、下方に垂下して前記軸受穴に対して回動可能に差し込まれる軸部をさらに有し、前記軸受穴の底面と、この底面に当接する前記軸部の先端面は、前記回動体の自重により、前記回動体が扉の閉位置に向けて自動的に回動するように、それぞれ傾斜するガイド面となっている構成を採用することが好ましい。
【００１３】
このようにすると、前記軸受穴に前記軸部が差し込まれる際に、前記軸受穴の底と前記軸部の先端とが当接し、前記回動体は自重により下降しながら前記軸部の先端が前記それぞれのガイド面によって導かれて扉を開位置から閉位置まで自動的に回動させることが可能となる。したがって、扉を閉め忘れたような場合でも、自動的に閉まり、施錠機構により施錠できるようになっているため、庫内の物品等の盗難を防ぐことができる。
【００１４】
発明にかかる扉ヒンジにおいて、前記軸受穴は、軸受穴本体と、軸受穴本体に差し込まれ、その底面が前記ガイド面となっているガイドスリーブと、からなり、前記ガイドスリーブは、第１の位置と、第１の位置から前記軸受穴本体の周方向に１８０度位相をずらせた第２の位置において、前記軸受穴本体に対して位置決め可能であり、その第１の位置と第２の位置とで、前記回動体の自重による自動的な回動方向を反転可能になっており、前記カバーは、前記一方の爪部が前記回動体の他方の爪受部に結合し、前記他方の爪部が前記回動体の一方の爪受部に結合するように、反転して前記回動体に取り付け可能となっている構成を採用するのが好ましい。
【００１５】
このようにすると、前記ガイドスリーブは、前記軸受穴本体の第１の位置に挿入された状態と第２の位置に挿入された状態とでは、前記ガイド面が前記軸受穴本体の周方向に１８０度反転する。これに伴い、前記ガイド面の傾斜も前記軸受穴本体の周方向に１８０度位相が反転するため、前記回動体が前記ガイド面に導かれて回動する方向も反転することになる。
したがって、前記ガイドスリーブの位置を第１の位置と第２の位置とで適宜切り替えることによって、扉が右開きと左開きのいずれの場合でも、扉が閉位置にむけて自動的に回動するように調整することができる。
また、扉の回動方向の左右反転に対応して、カバーも左右反転させることができるため、扉が右開きと左開きのいずれの場合でも、閉位置において結合強度が弱い側の爪部がベース体の隠蔽面と回動体との間に隠れるように調整することができる。
【発明の効果】
【００１６】
本発明の扉ヒンジを以上のように構成したので、扉が閉位置の状態では、カバーが前記回動体から取り外されることが防がれ、かつ、扉が開位置の状態では、カバーの前記回動体に対する着脱が容易になり、扉のメンテナンス性を向上させることができる。
【図面の簡単な説明】
【００１７】
【図１】扉ヒンジの扉および扉枠への取り付け状態を示す斜視図
【図２】扉ヒンジの斜視図
【図３】扉ヒンジの分解斜視図
【図４】（ａ）は扉が右開きの場合（ｂ）は扉が左開きの場合の、扉ヒンジの要部平面図および要部断面図
【図５】カバーの爪部と回動体の爪受部との係合状態を示す断面図
【図６】扉ヒンジの回動体の回動作用を示す斜視図
【図７】（ａ）は扉が右開きの場合の（ｂ）は扉が左開きの場合の、扉ヒンジの回動体の回動作用を示す平面図
【発明を実施するための形態】
【００１８】
以下、図面を参照しつつ本発明の実施形態について説明する。
【００１９】
図１および図２に示す通り、実施形態の扉ヒンジ１は、扉枠Ｂに固定されるベース体１０と、ベース体１０に対して周方向に回動可能に支持される回動体２０と、回動体２０に装着されるカバー３０とからなる。
ここで、扉ヒンジ１の材質は特に限定されないが、ベース体１０と回動体２０については金属（アルミニウム等）製であり、カバー３０については樹脂製であることが例示できる。
【００２０】
図２および図３のように、ベース体１０は、角柱形状であって扉枠Ｂに固定されるねじ止め部１１と、ねじ止め部１１の下方から扉枠Ｂへの取り付け方向と逆方向へ延出し、回動体２０を下方から回動可能に支持する軸受部１２と、を備える。
【００２１】
図２のように、ねじ止め部１１は、ベース体１０が扉枠Ｂに固定される際に扉枠Ｂと当接する当接面１１ａと、回動体２０と対向し回動体２０によって外部から隠蔽される隠蔽面１１ｂと、を有し、隠蔽面１１ｂから当接面１１ａにかけては、ねじ穴１１ｃが貫通している。
ねじ穴１１ｃは、ベース体１０の上下方向に等間隔に並列している。このねじ穴１１ｃにねじ１１ｄが挿入され、扉枠Ｂにねじ込まれることで、ベース体１０は扉枠Ｂに固定される。ねじ穴１１ｃの隠蔽面１１ｂ側の穴縁には、座ぐり加工が施されており、ねじ穴１１ｃに挿入されているねじ１１ｄの頭部が、隠蔽面１１ｂの表面より高く飛び出さないようになっている。
これにより、回動体２０がベース体１０に回動可能に支持されるとき、ねじ１１ｄの頭部が回動体２０と接触することが防がれている。
【００２２】
図２から図４のように、軸受部１２は、隠蔽面１１ｂの下方縁部から立ち上がる軸受面１２ａと、軸受面１２ａの縁部から下方へ垂下する周面１２ｂを有する。
軸受面１２ａは、その外縁が円弧形をなしており、周面１２ｂは、ねじ止め部１１の側面と平滑に連続している。
さらに、軸受部１２は、軸受面１２ａにおいて開口する軸受穴本体１２ｃを有し、この軸受穴本体１２ｃには、ガイドスリーブ１２ｄが挿入されている。
【００２３】
図４のように、軸受面１２ａには、ベース体１０の幅方向の中心線である鎖線１２ｅより左方に英文字Ｌの刻印が、右方に英文字Ｒの刻印が、それぞれが記されている。これらの刻印は、後述するようにガイドスリーブ１２ｄの位置決め方向を示している。
【００２４】
軸受穴本体１２ｃの軸受面１２ａ上における開口は、英文字Ｌの刻印と英文字Ｒの刻印の間に位置する。軸受穴本体１２ｃは、軸受部１２の周面１２ｂと同軸上に位置して有底円筒形状をなしている。軸受穴本体１２ｃの底面の略中心には、ベース体１０の下方へと貫通する小孔が設けられている。
さらに、軸受穴本体１２ｃは、第１嵌合凹部１２ｆおよび第２嵌合凹部１２ｇを有する。第１嵌合凹部１２ｆおよび第２嵌合凹部１２ｇは、それぞれ軸受穴本体１２ｃの内周面に設けられた、開口から底面にかけて延びる略半円形の３つの溝の組からなる。
図４のように、軸受面１２ａをねじ止め部１１が上方となるように平面視すると、第１嵌合凹部１２ｆおよび第２嵌合凹部１２ｇのそれぞれ３つの溝は、二等辺三角形の３つの頂点に位置している。
また、第１嵌合凹部１２ｆおよび第２嵌合凹部１２ｇのそれぞれ３つの溝を頂点とする二等辺三角形は、鎖線１２ｅを基準にして、互いに左右対称の関係となる位置にある。
【００２５】
図３のように、ガイドスリーブ１２ｄは、上方に開口する有底円筒形であって、外径は軸受穴本体１２ｃの径より小さく、高さは軸受穴本体１２ｃの深さにほぼ等しく、軸受穴本体１２ｃへ底面が先行して挿入される。
ガイドスリーブ１２ｄは、その外周面に、開口から底面にかけて延びる３つの半円形の突条からなる嵌合凸部１２ｈを有する。嵌合凸部１２ｈをなす３つの突条は、平面視すると二等辺三角形の３つの頂点に位置している。この３つの突条を頂点とする二等辺三角形は、第１嵌合凹部１２ｆおよび第２嵌合凹部１２ｇの３つの溝を頂点とする二等辺三角形と合同である。
ガイドスリーブ１２ｄが軸受穴本体１２ｃに挿入されると、嵌合凸部１２ｈの３つの突条と第１嵌合凹部１２ｆまたは第２嵌合凹部１２ｇの３つの溝とがそれぞれ嵌まり合い、ガイドスリーブ１２ｄは軸受穴本体１２ｃに対して回り止めされる。
この時、図４（ａ）に示すように、嵌合凸部１２ｈと第１嵌合凹部１２ｆとが嵌まり合う場合と、図４（ｂ）に示すように、嵌合凸部１２ｈと第２嵌合凹部１２ｇとが嵌まり合う場合とでは、ガイドスリーブ１２ｄの軸受穴本体１２ｃに対する周方向の位相が１８０度異なる。
すなわち、ガイドスリーブ１２ｄを軸受穴本体１２ｃに挿入するとき、嵌合凸部１２ｈを第１嵌合凹部１２ｆまたは第２嵌合凹部１２ｇのいずれに嵌合させるかにより、ガイドスリーブ１２ｄを第１の位置と第１の位置から１８０度反転した第２の位置の２通りに位置決めすることが可能となる。
【００２６】
図４のように、ガイドスリーブ１２ｄの端面上には、嵌合凸部１２ｈの３つの突条のうち、二等辺三角形の等辺同士が交わる頂点に位置する突条と位相が合致するように、方向表示１２ｊが設けられている。このため、ガイドスリーブ１２ｄが軸受穴本体１２ｃに挿入されている状態で、いずれの方向に位置決めされているか、ベース体１０の上方から確認できるようにしている。
【００２７】
図４のように、ガイドスリーブ１２ｄのガイド面１２ｉは、ガイドスリーブ１２ｄの底面に設けられ、曲面をなして傾斜している。
図４（ａ）のように、嵌合凸部１２ｈと第１嵌合凹部１２ｆとが嵌まり合うように、すなわち、方向表示１２ｊが英文字Ｒの刻印の側を指すようにガイドスリーブ１２ｄが軸受穴本体１２ｃに挿入されるときは、ガイド面の頂面１２ｋは、ベース体１０の隠蔽面１１ｂの側に位置し、ベース体１０の周面１２ｂの側へ下降する向きに傾斜して底面１２ｌに達する。
一方、図４（ｂ）のように、嵌合凸部１２ｈと第２嵌合凹部１２ｇとが嵌まり合うように、すなわち、方向表示１２ｊが英文字Ｌの刻印の側を指すようにガイドスリーブ１２ｄが軸受穴本体１２ｃに挿入されるときは、ガイド面の頂面１２ｋは、ベース体１０の周面１２ｂの側に位置し、ベース体１０の隠蔽面１１ｂの側へ下降する向きに傾斜して底面１２ｌに達する。
このように、ガイドスリーブ１２ｄを軸受穴本体１２ｃに挿入する際には、方向表示１２ｊと、英文字ＬおよびＲの刻印とを目印にし、ガイド面１２ｉの傾斜の方向を２通りのうちから選択することが可能となる。
【００２８】
図２および図３のように、回動体２０は、ねじ２０ａを介して扉Ｄに固定される基部２１と、基部２１の下方に位置して、ベース体１０のガイドスリーブ１２ｄに挿入される軸部２２とを有する。
【００２９】
図３のように、基部２１は、扉Ｄと当接する当接面２１ａと、当接面２１ａから立ち上がってなす一対の側面２１ｂと、それぞれの側面２１ｂ間を架け渡すような円弧状の周面２１ｃとによって形成される。
一対の側面２１ｂ間の幅は、ベース体１０の幅と略等しく、周面２１ｃはベース体１０の周面１２ｂの曲率と略等しい曲率によってなる円弧形状である。
【００３０】
図３のように、基部２１は、長手方向の略中央に配置されるねじ収容部２１ｄと、ねじ収容部２１ｄの開口の縁部から立ち上がる爪受部２１ｅとを有する。
【００３１】
図３のように、ねじ収容部２１ｄは、基部２１の周面２１ｃに開口を有する矩形の箱状体であり、基部２１の内部空間に相当する。ねじ収容部２１ｄは、矩形の底面２１ｆと、底面２１ｆから開口へ向かって立ち上がる対向一対の側面２１ｇと対向一対の端面２１ｈとによって形成される。
図３および図５（ａ）のように、底面２１ｆは、表面が微細な凹凸形状をなし、当接面２１ａへかけて貫通する長穴形状のねじ穴２１ｉを複数有する。ねじ穴２１ｉは、穴の長手方向が回動体２０の幅方向と略一致し、かつ、底面２１ｆの長手方向に等間隔に並列している。
【００３２】
図３および図５（ａ）のように、爪受部２１ｅは、ねじ収容部２１ｄの両側面２１ｇから開口へ向けて延出し、開口を跨いで周方向に対向し、かつ回動体２０の上下方向に二列に並列している。
爪受部２１ｅは、矩形状の環であって、基部２１の幅方向と略一致する方向へ貫通する係合穴２１ｊを有する。
【００３３】
図３および図４のように、軸部２２は、基部２１の周面２１ｃと同心円状となるように基部２１の下方から鉛直方向に垂下する丸棒であって、径はガイドスリーブ１２ｄの内径より小さく、長さは、ガイドスリーブ１２ｄの開口からガイド面１２ｉまでの深さと略等しい。
軸部２２は、先端（下端）に、波状の曲面であって基部２１の幅方向と略等しい方向に傾斜するガイド面２２ａを有する。
このガイド面２２ａの形状は、ガイドスリーブ１２ｄのガイド面１２ｉの形状と略等しいものとなっている。
【００３４】
図２および図３のように、カバー３０は、回動体２０の周面２１ｃと略等しい曲率で円弧状に湾曲する板であって、その幅はねじ収容部２１ｄの幅と略等しく、その高さはねじ収容部２１ｄの高さに略等しい。
カバー３０は、周方向のそれぞれの縁部から、湾曲の内側へ向かって延出する第１の爪部３１および第２の爪部３２を有する。第１の爪部３１と第２の爪部３２は、カバー３０の周方向に対向し、かつ高さ方向に二列に並列している。さらに、カバー３０は、二列の第１の爪部３１の間に切欠き部３３を有する。
【００３５】
第１の爪部３１および第２の爪部３２のそれぞれが高さ方向に並列する間隔は、回動体２０において爪受部２１ｅが上下方向にそれぞれ並列する間隔に等しく、カバー３０の周方向に対向する第１の爪部３１と第２の爪部３２の間隔は、開口を跨いで対向する爪受部２１ｅの係合穴２１ｊの間隔とほぼ同じかやや小さい。
そのため、カバー３０が回動体２０に装着される際には、カバー３０の第１の爪部３１および第２の爪部３２が、それぞれ回動体２０の爪受部２１ｅの係合穴２１ｊに係合する。また、カバー３０が回動体２０から取り外される際には、第１の爪部３１および第２の爪部３２は、回動体２０の爪受部２１ｅの係合穴２１ｊから抜け出して係合が解除される。これにより、第１の爪部３１および第２の爪部３２と爪受部２１ｅとがスナップフィット機構として機能し、カバー３０は回動体２０に着脱自在に装着されることになる。
また、カバー３０は上下方向に反転させて取り付けることも可能となっている。
【００３６】
図５のように、第１の爪部３１は、第２の爪部３２と正対する対向面３１ａと、対向面３１ａからカバー３０の縁部へ向けて傾斜する差し込み面３１ｂと、対向面３１ａからカバー３０の湾曲部へ向けて傾斜する第１の係合面３１ｃと、を有する。同様に、第２の爪部３２は、第１の爪部３１と正対する対向面３２ａと、対向面３２ａからカバー３０の縁部へ向けて傾斜する差し込み面３２ｂと、対向面３２ａからカバー３０の湾曲部へ向けて傾斜する第２の係合面３２ｃとを有する。
【００３７】
図５のように、第１の係合面３１ｃと対向面３１ａとがなす鋭角側の角度を傾斜角度Ｘ、第２の係合面３２ｃと対向面３２ａとがなす鋭角側の角度を傾斜角度Ｙとすると、傾斜角度Ｘは４０度から５０度となり、傾斜角度Ｙは７０度から８５度となる。
傾斜角度Ｘおよび傾斜角度Ｙはそれぞれ、カバー３０を回動体２０の開口に取り付ける際の取り付け方向に対する第１および第２の係合面３１ｃ、３２ｃの傾斜角度、すなわち第１の爪部３１の進行方向に対する第１の係合面３１ｃの傾斜角度、および第２の爪部３２の進行方向に対する第２の係合面３２ｃの傾斜角度であるといえる。
【００３８】
切欠き部３３は矩形状をなし、カバー３０の第１の爪部３１が設けられた側の縁部上に位置する。
切欠き部３３は長手方向がカバー３０の長手方向と略一致するよう切り欠かれ、その切欠きの深さは、例えば、１ｍｍから１．５ｍｍであり、工具や指の爪を引っかけることが可能となっている。
【００３９】
実施形態の扉ヒンジ１の構成は以上のようであり、つぎに図１から図４（ａ）、図６および図７（ａ）を参照して、扉Ｄが右開きの場合における扉ヒンジ１の組み付けおよびその作用を説明する。
【００４０】
図１から図３のように、ベース体１０は、軸受面１２ａが上方を向き、軸受穴本体１２ｃの開口から底面までの方向が略鉛直下向きになる状態で当接面１１ａが扉枠Ｂに当接し、ねじ穴１１ｃにねじ１１ｄが挿入されて扉枠Ｂに固定される。
また図４（ａ）のように、ガイドスリーブ１２ｄは、嵌合凸部１２ｈと第１嵌合凹部１２ｆとが嵌合するように軸受穴本体１２ｃに挿入される。つまり、ガイドスリーブ１２ｄの方向表示１２ｊがベース体１０の英文字Ｒの刻印の側に位置するよう、ガイドスリーブ１２ｄの周方向の位置決めがなされる。
このとき、ガイドスリーブ１２ｄのガイド面１２ｉは、回動体２０の隠蔽面１１ｂ側から周面１２ｂの側へ向けて傾斜することになる。
回動体２０は、当接面２１ａが扉Ｄと当接した状態で、ねじ２０ａをねじ収容部２１ｄの開口側からねじ穴２１ｉへと挿入されて、固定される。
【００４１】
ここで、回動体２０のねじ穴２１ｉは長穴であるため、扉Ｄに形成されたねじ穴と位置合わせがしやすくなっている。回動体２０のねじ穴２１ｉと扉Ｄのねじ穴の位置を合せた状態で、図３のように、矩形平板状のワッシャプレート２０ｂを、その貫通孔が扉Ｄのねじ穴に合致するように、ねじ収容部２１ｄの底面２１ｆに当接させる。ワッシャプレート２０ｂの裏面には微細な凹凸が設けられているため、この凹凸が、ねじ収容部２１ｄの底面２１ｆの微細な凹凸とかみ合う。これにより、ワッシャプレート２０ｂがずれ動かないように位置決めされる。ワッシャプレート２０ｂの貫通孔を通じて、回動体２０のねじ穴２１ｉと扉Ｄのねじ穴にねじ２０ａを挿入することによって、回動体２０を扉Ｄに固定する作業が容易となる。
【００４２】
図２および図３のように、回動体２０は、その軸部２２がベース体１０のガイドスリーブ１２ｄへ挿入されて、周方向に回動可能なようにベース体１０に支持される。この状態で回動体２０が周方向へ回動すると、基部２１の側面２１ｂおよび周面２１ｃがベース体１０の隠蔽面１１ｂと順次対向することになる。
【００４３】
いま、図６（ａ）の扉の開位置において扉Ｄから手を離すと、軸部２２のガイド面２２ａの頂面２２ｂとガイドスリーブ１２ｄのガイド面１２ｉとの当接により、回動体２０は、その自重でガイド面２２ａの頂面２２ｂがガイド面１２ｉの斜面を滑るよう下降しながら、図６（ｂ）のように、周方向の左回りに回動する。
さらに、回動体２０が下降および回動すると図６（ｃ）のように、ガイド面２２ａの頂面２２ｂとガイド面１２ｉの底面１２ｌとが当接し、同時に回動体２０の基部２１の底面と軸受面１２ａとが当接する。これにより、回動体２０は下降および回動を停止する。その状態からさらに左回りに回動させようとしても、ベース体１０の隠蔽面１１ｂが回動体２０の側面２１ｂと当接するため、それ以上の回動は阻止される。
このとき、回動体２０の当接面２１ａは、ベース体１０の隠蔽面１１ｂと略直交し、扉Ｄが閉まった状態となる。
【００４４】
図２および図３のように、カバー３０は、カバー３０の湾曲の内側の面が、回動体２０のねじ収容部２１ｄの底面２１ｆと対向するように、第１の爪部３１および第２の爪部３２を、爪受部２１ｅに係合させて回動体２０へ装着されている。
この時、第１の爪部３１および第２の爪部３２と、爪受部２１ｅの係合穴２１ｊによりスナップフィット機構が構成され、カバー３０は、回動体２０に対して着脱自在となっている。
ここで、上述した通り、第１の爪部３１の傾斜角度Ｘは４０度から５０度であるため、第２の爪部３２の傾斜角度Ｙである７０度から８５度よりも有意に小さく、図５（ｂ）および（ｃ）のように、第１の係合面３１ｃと係合穴２１ｊとの遊びは、第２の係合面３２ｃと係合穴２１ｊとの遊びに比べて大きくなる。したがって、第２の爪部３２の爪受部２１ｅに対する結合強度は、第１の爪部３１の爪受部２１ｅに対する結合強度よりもはるかに大きく、第２の爪部３２の爪受部２１ｅからの取り外しが困難である。
【００４５】
図６（ａ）および図７（ａ）のように、カバー３０の第１の爪部３１および切欠き部３３は、回動体２０が扉の開位置にある状態では外部へ露出し、扉の閉位置の状態では回動体２０と隠蔽面１１ｂとの間に隠れ、外部から隠蔽されてしまう。逆に、第２の爪部３２は、回動体２０が扉の開位置にある状態では回動体２０と隠蔽面１１ｂとの間に隠れ、扉の閉位置の状態では外部へ露出する。
したがって、回動体２０が扉の閉位置にあるときには、爪受部２１ｅとの結合強度が弱い第１の爪部３１は隠れてしまい、爪受部２１ｅとの結合強度が強い第２の爪部３２のみが露出していることになって、カバー３０の取り外しが極めて困難となる。
一方、回動体２０が扉の開位置にあるときには、回動体２０と隠蔽面１１ｂとの間から出た切欠き部３３に指や工具をかけるなどして力を加えることで、第１の爪部３１の側からカバー３０を容易に取り外すことが可能となる。
【００４６】
以上が扉Ｄを右開きに回動するよう構成される扉ヒンジ１であるが、上述の通り、ガイドスリーブ１２ｄの位置決め方向を変更することで、扉Ｄの開き方向を左開きへと反転させることが可能となる。
【００４７】
すなわち、図４（ｂ）のように、ガイドスリーブ１２ｄを、嵌合凸部１２ｈが第２嵌合凹部１２ｇと嵌合するように軸受穴本体１２ｃに挿入して方向表示１２ｊが軸受穴本体１２ｃの英文字Ｌの刻印の側を指すよう、ガイドスリーブ１２ｄを位置決めする。
この状態では、図４（ｂ）の断面図のように、ガイドスリーブ１２ｄのガイド面１２ｉは、ベース体１０の周面１２ｂの側から、隠蔽面１１ｂの側へ傾斜する。そのため、回動体２０の軸部２２をガイドスリーブ１２ｄへ挿入すると、ガイド面２２ａの頂面２２ｂはガイド面１２ｉ上を滑るように下降し、ガイド面１２ｉの底面１２ｌと当接する。
ガイド面２２ａの頂面２２ｂとガイド面１２ｉの底面１２ｌが当接する位置は、ガイドスリーブ１２ｄの嵌合凸部１２ｈが第１嵌合凹部１２ｆと嵌合するように挿入される場合からみて、軸部２２の周方向に１８０度反転する位置となる。これにより、扉の開位置と閉位置が軸部２２の周方向に１８０度反転し、扉Ｄは左開きとなる。
【００４８】
左開きの扉の場合には、カバー３０も幅方向に反転させて回動体２０に取り付ける。
カバー３０の第１の爪部３１と第２の爪部３２は、幅方向に対称的に配置され、かつ、長手方向に対称的に２組配置されているため、回動体２０に取り付けられたカバー３０を取り外し、カバー３０を長手方向に上下反転させて再び回動体２０に取り付ける際にも、爪受部２１ｅと第１の爪部３１および第２の爪部３２とはそれぞれ係合することが可能となる。
これにより、図７（ｂ）のように、回動体２０の回動方向によって、カバー３０の取り付け方向を反転させることで、回動体２０が閉位置にある状態時には、第１の爪部３１と切欠き部３３が、回動体２０と隠蔽面１１ｂとの間に隠れる構成とすることが可能となる。
【００４９】
以上のように、扉が右開きと左開きのいずれの場合でも、ベース体１０と扉枠Ｂとを連結するねじ１１ｄは、隠蔽面１１ｂと回動体２０との間に隠れるため、取り外しが困難になっている。
また、回動体２０と扉Ｄとを連結するねじ２０ａの頭部は、カバー３０によって隠蔽されており、扉Ｄが閉位置にある状態でカバー３０を取り外すのは困難となっている。一方、回動体２０が開位置にあるときには、カバー３０の取り外しが容易になる。
よって、扉Ｄが閉じているときに扉ヒンジ１から扉Ｄを取り外されるのが防がれ、扉Ｄが開いているときには扉ヒンジ１から扉Ｄを取り外すことが容易となって、メンテナンス等が行いやすくなる。
【００５０】
以上、本発明に関する幾つかの実施形態について説明したが、本発明は上記実施形態において説明したものに限定されるものではなく、種々の変形例が適用可能である。
すなわち、今回開示された実施形態はすべての点で例示であって制限的なものではない。本発明の範囲は特許請求の範囲によって示され、特許請求の範囲内およびこれと均等の意味でのすべての修正と変形を含む。
【符号の説明】
【００５１】
１  扉ヒンジ
１０  ベース体
１１  ねじ止め部
１１ａ  当接面
１１ｂ  隠蔽面
１１ｃ  ねじ穴
１１ｄ  ねじ
１２  軸受部
１２ａ  軸受面
１２ｂ  周面
１２ｃ  軸受穴本体
１２ｄ  ガイドスリーブ
１２ｅ  鎖線
１２ｆ  第１嵌合凹部
１２ｇ  第２嵌合凹部
１２ｈ  嵌合凸部
１２ｉ  ガイド面
１２ｊ  方向表示
１２ｋ  頂面
１２ｌ  底面
２０  回動体
２０ａ  ねじ
２０ｂ  ワッシャプレート
２１  基部
２１ａ  当接面
２１ｂ  側面
２１ｃ  周面
２１ｄ  ねじ収容部
２１ｅ  爪受部
２１ｆ  底面
２１ｇ  側面
２１ｈ  端面
２１ｉ  ねじ穴
２１ｊ  係合穴
２２  軸部
２２ａ  ガイド面
２２ｂ  頂面
３０  カバー
３１  第１の爪部
３１ａ  対向面
３１ｂ  差し込み面
３１ｃ  第１の係合面
３２  第２の爪部
３２ａ  対向面
３２ｂ  差し込み面
３２ｃ  第２の係合面
３３  切欠き部
Ｂ  扉枠
Ｄ  扉
【図１】
2019027081.tif 000003
【図２】
2019027081.tif 000004
【図３】
2019027081.tif 000005
【図４】
2019027081.tif 000006
【図５】
2019027081.tif 000007
【図６】
2019027081.tif 000008
【図７】
2019027081.tif 000009